(57)【要約】  【課題】利用者がカラオケ演奏装置を利用した際、所定のカラオケシステム利用開始時に、その利用者ＩＤに基づき利用者登録を行った場合、従来のような人為的な操作に依らず、カラオケ利用終了時に、自動的かつ効率良く確実にその利用者登録抹消が行い得る管理装置の提供。  【解決手段】任意のカラオケ演奏装置（２）にて、利用者ＩＤに基づき利用者登録をしている所定の利用者が、当該カラオケ演奏装置（２）の利用を終了し、ＰＯＳ管理装置（３）にての料金支払いの際、その支払い完了のタイミングにて、当該カラオケ演奏装置（２）の利用者ないしその利用者を含めて、その関連する利用者の利用者登録抹消をさせるように自動制御することを特徴とするカラオケ利用者管理装置（１）。【選択図】図２
2006099001.tif 000002
【特許請求の範囲】
【請求項１】
利用者ＩＤの認識機能を備えたカラオケ演奏装置およびＰＯＳ管理装置と接続されてなり、前記カラオケ演奏装置の利用者を管理するための装置であって、
任意のカラオケ演奏装置にて、利用者ＩＤに基づき利用者登録をしている所定の利用者が、当該カラオケ演奏装置の利用を終了し、前記ＰＯＳ管理装置にての料金支払いの際、その支払い完了のタイミングにて、当該カラオケ演奏装置の利用者ないし当該利用者を含めて、その関連する利用者の利用者登録抹消をさせるように自動制御することを特徴とするカラオケ利用者管理装置。
【発明の詳細な説明】
【技術分野】
【０００１】
本発明は、任意のカラオケ演奏装置にて、所定のカラオケシステムにログインしている利用者を、その利用を終了した場合に、自動的にログアウトさせ得るようにしたカラオケ利用者の管理装置に関する。
【背景技術】
【０００２】
最近、カラオケシステムの提供するサービスが、汎用的なカラオケ演奏に止まらず、カラオケ利用者を個別に管理して、利用者個別のコンテンツを提供できるようになるなど、著しく進歩している。例えば、利用者個別に歌唱力採点を行い、そのランキング情報を利用者の氏名や顔写真などと共に表示したり、利用者ＩＤ別の歌唱録音データについて、その歌唱力の段位・級位などを検定したりするものなどがある。通常、利用者がこのような個別サービスを受ける際には、利用しているカラオケ演奏装置では、利用者ＩＤ認識手段を付帯させて所定のカラオケシステムへのログイン、すなわち、システム利用開始時の利用者ＩＤに基づく利用者登録をする必要がある。
【０００３】
従来、このようにカラオケ利用時に利用者ＩＤを認識し、利用者を所定のシステムにログインさせることで、個人別のサービスを提供するカラオケシステムについて、上記したコンテンツサービス以外にも様々な技術が想到されている。例えば、特許文献１では、カラオケ演奏装置にて利用者ＩＤを取得し、各利用者の利用履歴簿を作成して、利用頻度が所定以上の利用者ＩＤを選出し、これを端末別常連客として記憶し、接客サービスに活かすシステムが開示されている。また、特許文献２では、利用者ＩＤを認識して利用者情報を読み出し、これに司会進行のシナリオ情報を割り当て、歌手や曲名を含む司会進行を自動的に行い、ステージ臨場感を出すカラオケ装置が開示されている。
【特許文献１】特開２０００−４７６７６号公報
【特許文献２】特開２０００−２６７６７６号公報
【発明の開示】
【発明が解決しようとする課題】
【０００４】
そして、当然のことながら、一旦、利用者がカラオケ演奏装置にログインした場合、そのカラオケシステム利用終了時にはログアウト、すなわち、ログインした利用者ＩＤに基づく利用者登録抹消が必要となる。従来、このログアウトについては、利用者自らが所定の手順に従って行ったり、あるいは、これと同様に、カラオケ演奏装置を管理している管理者が行ったりしていた。ところが、利用者は、個人別のサービスを受けたいという願望により、ログインは自発的に行うものの、サービスを受けた後で利用を終了する際には、操作が面倒であったり、忘れたりしてしまい、ログアウトを行わない場合がある。また、管理者にとっても、多忙な状況下では時間的にログアウトのタイミングが遅れることがある。これらの場合には、次にカラオケ演奏装置を利用する利用者ＩＤと残った利用者ＩＤとが混在していまい、次の利用者が前の利用者のログアウト操作を行わなければならないという不都合が発生するなどの問題が生じていた。
【０００５】
そこで、本発明は、利用者がカラオケ演奏装置を利用した際、所定のカラオケシステム利用開始時に、その利用者ＩＤに基づき利用者登録を行った場合、従来のような人為的な操作に依らず、カラオケ利用終了時に、自動的かつ効率良く確実にその利用者登録抹消が行い得る管理装置の提供を課題とする。
【課題を解決するための手段】
【０００６】
上記課題を鑑み、本発明者は、利用者ＩＤの認識機能を備えたカラオケ演奏装置と、ＰＯＳ管理装置の両者を仲介して接続させ、ＰＯＳ管理装置にての料金支払いの際、その支払い完了のタイミングにて、該当するカラオケ演奏装置に対し、その利用者ないしこの利用者を含めて、その関連する利用者の利用者登録抹消をさせるように自動制御できる管理装置を提供することで、上記課題を解決できることを見出し、本発明のカラオケ利用者管理装置を想到した。
【０００７】
すなわち、本発明のカラオケ利用者管理装置は、利用者ＩＤの認識機能を備えたカラオケ演奏装置およびＰＯＳ管理装置と接続されてなり、前記カラオケ演奏装置の利用者を管理するための装置であって、
任意のカラオケ演奏装置にて、利用者ＩＤに基づき利用者登録をしている所定の利用者が、当該カラオケ演奏装置の利用を終了し、前記ＰＯＳ管理装置にての料金支払いの際、その支払い完了のタイミングにて、当該カラオケ演奏装置の利用者ないし当該利用者を含めて、その関連する利用者の利用者登録抹消をさせるように自動制御することを特徴とする。
【発明の効果】
【０００８】
本発明のカラオケ利用者管理装置によれば、カラオケ利用料金の支払いの際に使用するＰＯＳ管理装置と、利用者ＩＤの認識機能を備えたカラオケ演奏装置とを仲介するように接続され、当該ＰＯＳ管理装置から料金支払い完了のタイミング信号を受信すると、該当するカラオケ演奏装置に対し、ログアウトを指令する信号を送信し、利用者ないしこの利用者を含めて、その関連する利用者の利用者登録抹消をさせるように自動制御させることにより、従来のような人為的な操作に依らず、カラオケ利用終了時に、自動的かつ効率良く確実に利用者登録抹消が行い得るようになるといった効果を奏する。
【発明を実施するための最良の形態】
【０００９】
以下、本発明のカラオケ利用者管理装置につき、好適な実施例を挙げて詳述するが、先ず、ここで、図１に示す、本発明のカラオケ利用者管理装置を含む周辺機器構成図と、図２に示す、本発明のカラオケ利用者管理装置の概略的ブロック構成図および図３に示す、利用者管理用テーブルの概念的構成図に基づき説明する。
【実施例１】
【００１０】
図１は、本発明のカラオケ利用者管理装置を含めた概略的なシステムの全体構成を示すもので、本実施例のカラオケ利用者管理装置（１）は利用者管理用データベース（１ａ）を付帯し、カラオケボックスの店舗内に設置された複数のカラオケルーム（図示省略）のそれぞれに備えられたカラオケ演奏装置（２，２…）、および、これらのカラオケ演奏装置（２，２…）毎に、その利用者の利用料金の精算徴収を統括管理するための店舗用ＰＯＳ管理装置（３）との間で、両者を仲介するように店舗内ＬＡＮを介して接続されている。
【００１１】
ここで、本実施例におけるカラオケ演奏装置（２）について少々説明する。カラオケ演奏装置（２）には大容量のハードディスク装置（図示省略）が備えられ、これには多数のカラオケ楽曲のＭＩＤＩデータを主体とした伴奏音楽データや、歌詞画像の生成起源となる歌詞抽出データなどを含むカラオケデータ、さらには、所定形式の長時間分の動画データや、動画データの処理シーケンス（処理すべき背景動画データの格納場所と処理順番）を規定した台本データや演奏可能なカラオケ楽曲についての曲名やアーティスト名、発表年、歌詞の歌い出し部分などの目次情報が格納されている。そして、各種機能手段を制御して演奏装置全体を統括管理している中央制御部（図示省略）が備えられ、この中央制御部は、上記各楽曲のカラオケデータ、台本データ、あるいは目次情報を曲番号によって識別し、これをカラオケデータベースとして管理している。
【００１２】
そして、このカラオケ演奏装置（２）には、楽曲検索機能を備えた多機能カラオケリモコン装置（Ｒ）が付帯されており、このリモコン装置（Ｒ）をもって、利用者は赤外線信号によりカラオケ演奏装置（２）に所望の演奏予約コマンドを送信する。各リモコン装置（Ｒ，Ｒ…）は、その内蔵２次電池に充電するための専用架台が必要となるが、この専用架台には、充電手段の他、利用者ＩＤを識別し、当該利用者のログインを認識するための利用者ＩＤ認識手段（２ａ）が付帯されている。本実施例の利用者ＩＤ認識手段（２ａ）は、非接触のＩＣモジュールを搭載したＩＤカードの読み取り／書き込み装置であり、カードＩＤに紐付けされた利用者ＩＤを特定するものである。勿論、この他に、例えば、ＩＣモジュールを携帯電話に内蔵させたＩＣ機能付き携帯電話や、近距離無線通信手段であるブルートゥース（blue tooth）機構を有する携帯電話、あるいはパスワードの入力装置や指紋や声紋などの生体識別機能に依る機構の利用者認識手段を利用しても構わない。
【００１３】
次に、図２に基づき、本発明のカラオケ利用者管理装置について説明する。本実施例のカラオケ利用者管理装置（１）は、主に、カラオケ演奏装置（２）とＰＯＳ管理装置（３）とのＬＡＮを介した通信を制御するための通信制御手段（１０）と、管理装置本体の統括的な制御を行うための中央制御部（１１）と、利用者管理用データベース（１ａ）などが構築されているハードディスク（１２）などからなる。
【００１４】
利用者管理用データベース（１ａ）は、カラオケ演奏装置（２）が付帯する利用者ＩＤ認識手段（２ａ）をもって、利用者が任意のカラオケ演奏装置（２）にログインした場合に、このデータベースを構成する利用者管理用テーブル（Ｔ）には、当該利用者とそのカラオケ演奏装置ＩＤのデータが入力されるように構成されている。図３は、この利用者管理用テーブル（Ｔ）の概念的構成図である。本実施例の利用者管理用テーブル（Ｔ）は、利用者が利用しているカラオケ演奏装置を特定するための「演奏装置ＩＤ」フィールド（ｆ１）、その演奏装置を利用している利用者を特定するための「利用者ＩＤ」フィールド（ｆ２）、所定の演奏装置を共有している利用者のグループ（１人利用でも可）を特定するための「グループ種別」フィールド（ｆ３）、そのグループの内、利用の途中でログアウトした場合に、これを示すフラグを立てるための「ログアウトフラグ」フィールド（ｆ４）などからなる。
【００１５】
なお、上記「グループ種別」は、代表する利用者を含めてその関連する利用者を特定するものであるが、勿論、カラオケルームのようなグループ参加の実施例では無い場合は、利用者個別の料金支払いに対し、それぞれの利用者ＩＤに基づき、個別に利用者登録を抹消するように構成しても構わない。
【００１６】
ＰＯＳ管理装置（３）は、任意の利用者による支払い完了のタイミング、具体的には、利用料金請求値が利用者に対してアウトプットされたタイミングや、当該請求値に対して利用者の支払い金額がインプットされたタイミング、あるいは、料金収支の精算値がアウトプットされたタイミングなどにて、予めＰＯＳ内に記録されている該当のカラオケ演奏装置ＩＤを付帯させ、この支払い完了のタイミング信号をカラオケ利用者管理装置（１）に送信する。カラオケ利用者管理装置（１）では、中央制御部（１１）に設けられた支払い完了信号受信手段（１１ａ）がこの信号を受信すると、ログアウト指令発信手段（１１ｂ）は、上記の利用者管理用テーブル（Ｔ）を参照し、該当するカラオケ演奏装置（２）に対し、利用の途中でログアウトした利用者を除き、そのグループメンバー全員の利用者登録を抹消させる指令信号を発する。
【００１７】
以下、図４に示す、多機能カラオケリモコン装置の外観斜視図と、図５に示す、利用者別ログイン・ログアウト指示のインタフェイス表示画面と、図６に示す、本発明のカラオケ利用者管理装置を用いたシステムフロー図に基づき、本発明のカラオケ利用者管理装置を用いたカラオケシステムの利用手順について詳述する。
【００１８】
先ず、図４の（イ）と（ロ）は、それぞれリモコン装置（Ｒ）の正面斜視図と背面斜視図を示す。最近、カラオケ演奏装置用のリモコン装置も多機能化が進み、実質的に携帯可能なハンドヘルド型あるいはパームトップ型のコンピュータと同等なハードウエアに、楽曲検索機能やデジタルカメラ機能やインターネットを介してデータ通信する機能などを備えた携帯型コンピュータに変貌している。具体的には、このリモコン装置（Ｒ）は、一般的な利用であるリモコン送信器により出力したリモコン信号を至近のカラオケ演奏装置に送信し、カラオケ演奏装置がこの信号をリモコン受信器により受信して曲を演奏予約する他、例えば、デジタルカメラ機能を使って撮影した利用者別の顔写真をカラオケ演奏装置のディスプレイに表示させたり、利用者別の歌唱採点結果を表示させたり、さらには、ＬＡＮを通じて店舗内のコンピュータと通信したり、インターネットを介した通信を行ったりすることも使用形態の一部となっている。
【００１９】
このリモコン装置（Ｒ）は、（イ）に示すように、その正面には液晶ディスプレイ（ＬＣＤ；Ｒａ）とタッチセンサ（Ｒｂ）とを積層したタッチパネルを主体とした利用者インタフェイスが備えられている。また、内蔵するフラッシュメモリ（図示省略）にはカラオケ演奏装置に蓄積されているものと同様の目次情報やタッチパネルに表示される各種画像情報などが蓄積されている。そのリモコン制御部（図示省略）はＣＰＵやＲＡＭ、ＲＯＭ、ビデオＲＡＭなどを含み、タッチパネルへの入力情報に基づいて各種画像情報や文字情報をビデオＲＡＭにビットマップ展開し、そのビットマップデータに基づいて、ＬＣＤドライバを駆動してタッチパネルに適宜な情報を表示する。さらに、フラッシュメモリに蓄積されている目次情報を楽曲索引データベースとして管理するためのプログラムなども実装している。
【００２０】
また、このリモコン装置（Ｒ）が、前述した専用架台に装着されると、（ロ）に示すように、その背面の下方所定部にはＬＡＮポート（Ｒｃ）が設けられており、ＬＡＮ接続ケーブルに結線されるため、それによって、ＬＡＮを介して本発明のカラオケ利用者管理装置と通信したり、さらには、ＶＰＮ（Virtual Private Network）を介してカラオケホスト装置と通信したりできる。
【００２１】
次に、図５は、多機能カラオケリモコン装置の液晶ディスプレイ（Ｒａ）とタッチセンサ（Ｒｂ）とを積層したタッチパネルの表示画面を示しており、このタッチパネルが利用者別にログインとログアウトを指示するための利用者インタフェイスとなっている。この表示画面には、利用者別顔写真付きアイコン列（２０）や利用者毎にログインするための「ログイン」アイコン（２１）や、同様に、ログアウトするための「ログアウト」アイコン（２２）などが設けられている。
【００２２】
リモコン装置を前述した専用架台に装着した状態で、利用者は先ず、「ログイン」アイコン（２１）を選択した後、当該専用架台に付帯したＩＤカードの読み取り／書き込み装置（利用者ＩＤ認識手段）に自らのＩＤカードを装填することにより、これに紐付けされた利用者ＩＤが識別されると同時にログインが認識される。ログインが認識されると、カラオケホスト装置に予め登録された利用者の顔写真、あるいは予め登録されていない場合、デジタルカメラ機能を使って撮影した利用者の顔写真を新たに登録して、順次、所定の利用者別顔写真付きアイコン（２０ａ）を利用者毎に作成する。
【００２３】
この利用者インタフェイスを利用すれば、例えば、演奏予約の際、利用者は自らの顔写真付きアイコン（２０ａ）を選択すれば、その演奏予約が当該利用者によるものであるとの表示ができたり、歌唱力の採点を行う場合でも、歌唱した当該利用者の採点ランキング情報を表示したり、登録したりできる。そして、利用者がログアウトしたい場合には、「ログアウト」アイコン（２２）を選択し、続けて自らの顔写真付きアイコン（２０ａ）を選択すれば当該利用者がログアウトしたと判断される。本発明のカラオケ利用者管理装置では、その利用者管理用データベースにおいて、このログイン・ログアウト情報に基づき、利用者管理用テーブルのデータの更新・追加・削除などの処理を行っている。
【００２４】
ここで、本発明のカラオケ利用者管理装置を用いたカラオケシステムの利用手順をまとめる。図６に示すように、先ず、カラオケ演奏装置（２）にて、任意の利用者がログインすると、すなわち、カラオケシステム利用開始時の利用者ＩＤに基づく利用者登録をする（Ｓ１）と、利用者は個別のコンテンツサービスを受けられる。カラオケシステムの利用終了後、利用者はＰＯＳ管理装置（３）にて料金の支払いを行い、支払いが完了する（Ｓ２）と、その支払い完了のタイミング信号が、本発明のカラオケ利用者管理装置（１）に送信される（Ｓ３）。この信号をカラオケ利用者管理装置（１）が受信する（Ｓ４）と、速やかに、該当するカラオケ演奏装置（２）に対し、ログアウト指令の送信、すなわち、ログインした利用者ＩＤに基づく利用者登録抹消の指令を送信する（Ｓ５）。この指令を受信したカラオケ演奏装置（２）では、ログアウト処理が自動的に行われる（Ｓ６）。こうして一連のシステムフローが終了する。
【００２５】
以上、詳述したように、本発明のカラオケ利用者管理装置によれば、カラオケ利用料金の支払いの際に使用するＰＯＳ管理装置と、利用者ＩＤの認識機能を備えたカラオケ演奏装置とを仲介するように接続され、当該ＰＯＳ管理装置から料金支払い完了のタイミング信号を受信すると、該当するカラオケ演奏装置に対し、ログアウトを指令する信号を送信し、利用者ないしこの利用者を含めてその関連する利用者の利用者登録抹消をさせるように自動制御させることにより、従来のような人為的な操作に依らず、カラオケ利用終了時に、自動的かつ効率良く確実に利用者登録抹消が行い得る。
【図面の簡単な説明】
【００２６】
【図１】本発明のカラオケ利用者管理装置を含む周辺機器構成図。
【図２】本発明のカラオケ利用者管理装置の概略的ブロック構成図。
【図３】利用者管理用テーブルの概念的構成図。
【図４】多機能カラオケリモコン装置の外観斜視図。
【図５】利用者別ログイン・ログアウト指示のインタフェイス表示画面。
【図６】本発明のカラオケ利用者管理装置を用いたシステムフロー図。
【符号の説明】
【００２７】
１  カラオケ利用者管理装置
１ａ  利用者管理用データベース
２  カラオケ演奏装置
２ａ  利用者ＩＤ認識手段
３  ＰＯＳ管理装置
１０  通信制御手段
１１  中央制御部
１１ａ  支払い完了信号受信手段
１１ｂ  ログアウト指令発信手段
Ｔ  利用者管理用テーブル
【図１】
2006099001.tif 000003
【図２】
2006099001.tif 000004
【図３】
2006099001.tif 000005
【図４】
2006099001.tif 000006
【図５】
2006099001.tif 000007
【図６】
2006099001.tif 000008